(57)【要約】【課題】水田の水位調整を容易に、ミリ単位の正確な設定を行うことができるので深水管理の負担が小さいし、構造が単純であるから故障や作動不良の問題も無い水田用水位調整桝を提供する。【解決手段】桝本体１は、底板２と、一対の側壁板３、３と、通水穴４Ａを設けた後壁板４とから構成してあり、内面に略凵字状の支持溝５が設けてある。支持溝５の略下半分に、受圧板６が下端の突起部６Ｃを支点に上端側を前後方向に傾動可能に挿装してある。受圧板６の上端側に下端７Ｃ側を対面させて支持溝５の略上半分に水位調整板７が昇降可能に挿装してある。水位調整板７は、受圧板６が水圧により突起部６Ｃを支点に後方に傾斜して面取り部６Ｆが圧接することにより所望の水位調整高さに保持され、上端側を前方に押動すると突起部６Ｃを支点に受圧板６が起立することで、昇降自在になっている。【選択図】図３
2012000016.tif 000002
【特許請求の範囲】
【請求項１】
底板と、一対の側壁板と、下側に通水穴を設けた後壁板とから桝本体を構成し、該桝本体の内面に略凵字状の支持溝を設け、該支持溝の略下半分に、下縁を支点にして上端側が前後方向に揺動可能なように受圧板を挿嵌し、前記支持溝の略上半分に、該受圧板の上端側に下端側を対面させた状態で水位調整板を昇降可能に挿装した構成からなり、該水位調整板は、前記受圧板が水圧及び／又は土圧により前記下縁を支点に後方に傾斜してその上端側が圧接することにより、所望の水位調整高さに保持され、かつ前記受圧板に抗して上端側を前方に押動することにより、昇降自在であることを特徴とする水田用水位調整桝。
【請求項２】
底板の幅方向両側端に一対の側壁板を起立し、下側に通水穴を設けた後壁板を前記底板の後端から起立し、該後壁板の両側縁を該一対の側壁板の側縁に連結して構成してなる桝本体と、前記底板上面に底溝部を、各側壁板内面に上端にかけて側溝部を夫々形成することにより前記桝本体に略凵字状に設けた所定幅の支持溝と、該支持溝の溝幅より薄い板厚の板体からなり、下端に後方に向けて突起部を設け、該突起部を前記底溝部に嵌合し、両側縁を前記側溝部に嵌合することにより、上端側が前記桝本体に対して後方に傾斜可能に設けた受圧板と、前面下端側を該受圧板の上端側と対面させて前記支持溝に昇降可能に挿嵌して配設した水位調整板とから構成し、該水位調整板は、前記受圧板が水圧及び／又は土圧により前記突起部を支点に後方に傾斜してその上端側が圧接することにより、所望の水位調整高さに保持され、かつ前記受圧板に抗して上端側を前方に押動することにより、昇降自在であることを特徴とする水田用水位調整桝。
【請求項３】
前記受圧板の前記上端側は傾斜面にしてあることを特徴とする請求項１又は２記載の水田用水位調整桝。
【請求項４】
前記受圧板は、前記上端側を粗面に形成してあることを特徴とする請求項１又は２記載の水田用水位調整桝。
【請求項５】
前記受圧板の突起部は、前記水位調整板の板厚より突出長さを大きく設定し、かつ下面を先端に向けて上向き傾斜面にしてあることを特徴とする請求項２記載の水田用水位調整桝。
【請求項６】
前記一対の側壁体の外面は、横方向の凹凸面に形成してあることを特徴とする請求項１又は２記載の水田用水位調整桝。
【請求項７】
底板と、一対の側壁板と、下側に通水穴を設けた後壁板とからなる桝本体内に形成した支持溝に、下端を係合し、上端側を傾動可能に受圧板を挿嵌し、該受圧板の上端側に下端側を対面させた状態で前記支持溝の上部側に水位調整板を昇降可能に挿嵌し、該水位調整板は前記受圧板が水圧及び／又は土圧により後方に傾転して圧接することにより、設定する水位調整高さを保持するようにしてなる水田の水位調整方法。
【発明の詳細な説明】
【技術分野】
【０００１】
本発明は、稲の生育時期に応じて水田の水位の調整を簡単な操作で、しかもミリ単位の高い精度で行うことができる水田用水位調整桝及び水田の水位調整方法に関する。
【背景技術】
【０００２】
水田では、稲の生育過程と気温の変化に応じて水量をきめ細かく管理する作業が毎日必要である。例えば、気温が下がったときには、水田に水を導入して水深を深くすることにより稲を冷害から守り、ある程度成長した段階では水田から水を抜いて稲に強い生命力を持たせるといった管理を行うが、微妙な水位調整を行うため、作業に時間を要しているのが現状である。
【０００３】
この水位調整には、従来から水位調整桝（田区落ち口桝とも称する。）を用いているが、従来の水位調整桝として、給排水本体１に仕切溝７を設け、調整する水位に応じて複数枚の仕切板１１を仕切溝７に縦方向に重ねて嵌合する構成の給排水具が提案されている（特許文献１）。また、板状材を蝶番により屈曲性を付与した水門扉２と、略Ｕ字形の切欠き開口部を有し、差込溝を設けた水門本体１と、該水門本体１に設け、水門扉２を巻き取る螺旋状円筒収容部３を設けた構成の水位調整装置が提案されている（特許文献２）。
【先行技術文献】
【特許文献】
【０００４】
【特許文献１】実開昭５８−１８０９２４号公報
【特許文献２】特開２００５−７６４３７号公報
【発明の概要】
【発明が解決しようとする課題】
【０００５】
上述した特許文献１の給排水具は、複数枚の仕切板１１を用意し、調整する水位に応じて仕切板１１の枚数を選択して設置するため、センチ単位の水位調整は可能でもミリ単位の細かな水位調整はできないという欠点、複数枚の仕切板を組合わせて行う水位調整高さの設定に手数を要するという欠点がある。また、特許文献２の水位調整装置は、差込溝と水門扉２との間や水門扉２と螺旋状円筒収容部３との間に細かい粒子の土や粘土が次第に侵入するため、水門扉２を螺旋状円筒収容部３内に円滑に摺動させて出入することは困難であるし、作動不良になる欠点がある。
【０００６】
本発明は上述した従来技術の諸欠点に鑑みなされたもので、簡単な操作でミリ単位の水位調整が可能であるし、構成が簡単で土や泥土の侵入による作動不良の問題も無く確実に操作可能であるし、保守の面倒もないことから、深水管理を容易に、かつ正確に行うことができる水田用水位調整桝及び水田の水位調整方法を提供することを目的とする。
【課題を解決するための手段】
【０００７】
上述した課題を解決するために構成した請求項１に係る本発明の手段は、底板と、一対の側壁板と、下側に通水穴を設けた後壁板とから桝本体を構成し、該桝本体の内面に略凵字状の支持溝を設け、該支持溝の略下半分に、下縁を支点にして上端側が前後方向に揺動可能なように受圧板を挿嵌し、前記支持溝の略上半分に、該受圧板の上端側に下端側を対面させて水位調整板を昇降可能に挿装した構成からなり、該水位調整板は、前記受圧板が水圧及び／又は土圧により前記下縁を支点に後方に傾斜してその上端側が圧接することにより、所望の水位調整高さに保持され、かつ前記受圧板に抗して上端側を前方に押動することにより、昇降自在にしたものからなる。
【０００８】
また、請求項２に係る本発明を構成する手段は、底板の幅方向両側端に一対の側壁板を起立し、下側に通水穴を設けた後壁板を前記底板の後端から起立し、該後壁板の両側縁を該一対の側壁板の側縁に連結して構成してなる桝本体と、前記底板上面に底溝部を、各側壁板内面に上端にかけて側溝部を夫々形成することにより前記桝本体に略凵字状に設けた所定幅の支持溝と、該支持溝の溝幅より薄い板厚の板体からなり、下端に後方に向けて突起部を設け、該突起部を前記底溝部に嵌合し、両側縁を前記側溝部に嵌合することにより、上端側が前記桝本体に対して後方に傾斜可能に設けた受圧板と、前面下端側を該受圧板の上端側と対面させて前記支持溝に昇降可能に挿嵌して配設した水位調整板とから構成し、該水位調整板は、前記受圧板が水圧及び／又は土圧により前記突起部を支点に後方に傾斜してその上端側が圧接することにより、所望の水位調整高さに保持され、かつ前記受圧板に抗して上端側を前方に押動することにより、昇降自在にしたものからなる。
【０００９】
そして、前記受圧板の前記上端側は傾斜面にするとよい。
【００１０】
また、前記受圧板は、前記上端側を粗面に形成するとよい。
【００１１】
更に、前記受圧板の突起部は、前記水位調整板の板厚より突出長さを大きく設定し、かつ下面を先端に向けて上向き傾斜面にするとよい。
【００１２】
また、前記一対の側壁体の外面は、横方向の凹凸面に形成するとよい。
【００１３】
更に、請求項７に係る本発明を構成する手段は、底板と、一対の側壁板と、下側に通水穴を設けた後壁板とからなる桝本体内に形成した支持溝に、下端を係合し、上端側を傾動可能に受圧板を挿嵌し、該受圧板の上端側に下端側を対面させた状態で前記支持溝の上部側に水位調整板を昇降可能に挿嵌し、該水位調整板は前記受圧板が傾転して圧接することにより設定する水位調整高さを保持するようにしたことにある。
【発明の効果】
【００１４】
本発明は上述の如く構成したから、下記の諸効果を奏する。
（１）水圧により傾斜した受圧板は上端側が水位調整板を桝本体に常時押圧することにより、水位調整板は水位調整高さを保持するし、水位調整板を介して受圧板を起立方向に押動することで水位調整板は上下動が可能になり、水位の微妙な調整を容易に行うことができるので、深水管理を容易に、正確にかつ確実に行うことができる。
（２）受圧板は水位調整板に対して面接触ではなく傾斜した状態で圧接しているから、受圧板と水位調整板が表面張力、水圧、土圧、土の粘着力等によって密着してしまうことが無く、容易に離間させることができるので、水位調整高さの設定作業及び水位調整作業を効率的に行うことができる。
（３）受圧板及び水位調整板と支持溝との隙間には浸入した泥水が泥土となって残留し、パッキンの役目を果して水漏れを防止するので、桝本体に対して受圧板を傾斜した状態で配設しても水漏れすることなく確実に設定した水位調整を行うことができる。
（４）桝本体から受圧板と水位調整板を抜き取るだけで、水田からの水抜きを一気に行うことができる。
（５）水田用水位調整桝は、桝本体と受圧板と水位調整板の３構成要素のみからなり、構成が簡単であることから故障や作動不良がないし、保管も面倒がなく、製作費も極めて安価である。
（６）受圧板の上端側は傾斜面に形成することにより水位調整板に対して線接触でなく面接触するようにしたから、水位調整板を設定した高さに確実に保持することができる。
（７）受圧板は上端側を粗面に形成することにより、水位調整板を設定した高さに確実に保持することができる。
（８）受圧板の突起部は水位調整板の板厚より突出長さを大きく設定し、かつ下面を先端に向けて上向き傾斜面にすることにより、水深が浅く水圧が弱い場合でも容易に傾斜するようにしたから、水位調整板を確実に保持することができる。
（９）畦に埋設する桝本体は側壁体の外面を凹凸面に形成してあるから、鼠、螻蛄等の小動物が桝本体の側面に沿って容易に水田に入り込む事態を阻止することができる。
【図面の簡単な説明】
【００１５】
【図１】本発明の実施の形態に係る水田用水位調整桝の外観斜視図である。
【図２】水田用水位調整桝の正面図である。
【図３】図２中のＩＩＩ−ＩＩＩ矢示方向断面図である。
【図４】図３中の矢示Ａ部拡大図である。
【図５】図３中の矢示Ｂ部拡大図である。
【図６】受圧板が水位調整板を保持する使用状態を示す説明図である。
【図７】図６中の矢示Ｃ部拡大図である。
【図８】図６中の矢示Ｄ部拡大図である。
【発明を実施するための形態】
【００１６】
以下、本発明の実施の形態を図面に基づき詳述する。図において、１はコンクリート製の桝本体を示す。２は該桝本体１を構成する四角形の平板からなる底板、３、３は該底板２の幅方向両側端から対向して起立する一対の側壁板で、該各側壁板３は縦長長方形の平板の前縁３Ａ及び後縁３Ｂを垂直縁に、上縁３Ｃを後縁３Ｂから前縁３Ａにかけた傾斜面に形成した平板からなる。そして、各側壁板３の外面３Ｄは縦長の２列の凹陥部３Ｅ、３Ｅを形成することによって凹凸面に形成してあり、畦に埋設した側壁板３に沿って鼠等の小動物が容易に水田に入り込まないように防止すると共に、畦に対して桝本体１の安定性を高めている。
【００１７】
４は図示しない排水管を接続するための通水穴４Ａを下部側に設け、後面４Ｂ上部に畦に対する係合力を高めるための凹陥部４Ｃを形成した後壁板を示し、該後壁板４は底板２の後端から起立し、両側端は一対の側壁板３、３に連結している。かくして、桝本体１は底板２と、一対の側壁板３、３と、後壁板４とによって正面視で略凵字状、平面視で略冂字状、縦断面視で略Ｌ字状をなしており、前方と上方が開放した形状からなっている。
【００１８】
５は後述する受圧板６及び水位調整板７を支持すべく桝本体１に設けた支持溝を示す。該支持溝５は、底板２の中央から若干後方寄りに位置して上面２Ａに形成した底溝部５Ａと、側壁板３、３の各内面３Ｆに縦方向に形成した側溝部５Ｂとによって略凵状の溝を成している。ここで、該支持溝５は受圧板６と水位調整板７が衝合した状態で嵌合可能な溝幅Ｌ（図４参照）に設定してある。
【００１９】
６は前面６Ａと後面６Ｂが平坦な四角形の平板からなり、前記支持溝５に挿嵌した受圧板を示す。該受圧板６は支持溝５の高さの略半分の縦方向長さで、支持溝５の溝幅Ｌの略半分の板厚Ｌ１の板体からなり（図４参照）、下端側には後方に突出する横長の突起部６Ｃ、前面６Ａの上端６Ｄ側には前方に突出する横長の指掛け部６Ｅが夫々設けてある。
【００２０】
ここで、前記突起部６Ｃは、水位調整板７の板厚Ｌ２より突出長さを大きく、かつ、底溝部５Ａの溝幅Ｌと略等しい長さに設定することにより、支持溝５に対して遊びの無い状態で嵌合して傾転するようにしてあり、かつ下面６Ｃ１を後方に向けて略３度の僅かな上り傾斜面に形成してある（図４及び図５参照）。かくして、受圧板６は突起部６Ｃを支点にして矢示イ、ロ方向に傾転し、かつ後方に容易に傾斜するようにしてある。また、受圧板６の後面６Ｂ上端側角隅は傾斜した面取り部６Ｆにすることにより水位調整板７と面接触し、水位調整板７が水圧の変動等で簡単に滑り落ちないようにしてある。
【００２１】
７は前面７Ａと後面７Ｂが平坦で、下端７Ｃを直線状にした四角形の平板からなり、支持溝５に矢示ハ、ニ方向に昇降可能に挿嵌した水位調整板を示す。該水位調整板７は支持溝５の高さの略半分の縦方向長さで、支持溝５の溝幅Ｌの略半分の板厚Ｌ２の板体に形成してある（図５参照）。また、上端７Ｄの前面７Ａ側には指掛け兼落下防止用の突出部７Ｅが前方に向けて横長に突設してあり、水位調整板７の昇降操作を容易にすると共に、突出部７Ｅが受圧板６の上端６Ｄに係止することで、水位調整板７が受圧板６より下方に落ち込むのを防止している。
【００２２】
本実施の形態に係る水田用水位調整桝は上述の構成からなるもので、次にその作用について説明する。桝本体１は前側を水田に向け、後壁板４を畦側にして、受圧板６が水田の田面より下になるようにして畦に埋設して設置する。そして、水田に水を張ると、前面６Ａに水圧を受けた受圧板６は突起部６Ｃを支点にして後方に傾転し、上端６Ｄ側の面取り部６Ｆが水位調整板７の前面７Ａに圧接することにより、水位調整板７は桝本体１に押付けられて高さを保持した状態になる。水田の水位が上昇すると水は水位調整板７の上端を溢流して桝本体１内に流入し、通水穴４Ａから排水管に流出することで、水田は設定した水位に保つことができる。
【００２３】
また、水位調整のために水位調整板７の高さを変える場合は、上端７Ｄ側や突出部７Ｅに指先を掛けて水位調整板７を矢示イ方向の前方に押動する(図３参照)。すると、水位調整板７は下端７Ｃを支持溝５内で支点にして受圧板６の上端６Ｄ側を同方向に押動し、受圧板６は略垂直状態に起立することで、水位調整板７は受圧板６を介して作用している水圧及び／又は土圧から開放される。そこで、水位調整板７を矢示ハ、ニ方向に自在に昇降させて水位調整高さをミリ単位で設定したら、水位調整板７の上端側に掛けていた矢示イ方向の押動力を解除することで、受圧板６は水圧及び／又は土圧によって傾転し、水位調整板７に面取り部６Ｆが圧接することで水位調整板７は設定した水位調整高さを保持することができる。
【００２４】
このように、水位調整板７の傾動操作と昇降操作だけで所望の水位設定作業を簡単に、かつ正確に行うことができる。しかも、受圧板６の後面６Ｂと水位調整板７の前面７Ａが全面的に密接する構成にした場合には、受圧板６と水位調整板７が水圧、水の表面張力、粒子の細かい土や粘土の粘着力、土圧等によって互いに密着した状態になって容易に離間できないといった事態になるが、本実施の形態では、受圧板６は突起部６Ｃを設けることにより水位調整板７に対して斜めの状態で上端６Ｄ側を水位調整板７に圧接する構成にしてあるから、密着した状態にならず容易に離間させることができる。
【００２５】
また、水田内で前方からの土圧はその殆どを受圧板６が受けており、水位調整板７は受圧板６の後方の畦側に位置していることから、水位調整板７の下方に土が溜って下降動作を妨げる事態にはならない。更に、水田での試験結果から、支持溝５と受圧板６及び水位調整板７との隙間に浸入する泥水が泥土となって残留することでパッキンとしての機能を有しており、当該隙間から水が漏洩するのを略完全に防止している。このため、支持溝５と受圧板６及び水位調整板７に求められる製作上の寸法はさほど厳密である必要はなく、製作コストも安価に抑えることができる。
【００２６】
また、受圧板６の上端６Ｄ側には面取り部６Ｆを形成し、水位調整板７に対して面接触するようにしたから、水位調整板７に働く水圧に変動があっても設定高さに確実に保持することができる。更に、面取り部６Ｆを粗面に形成して水位調整板７に対する係止力を高めることにより、保持力を高くしてもよい。
【００２７】
なお、本実施の形態では、受圧板６の下端に突起部６Ｃを設ける構成にしたが、突起部６Ｃを設けない受圧板の下端が嵌合する底溝部を桝本体１の底板２に形成し、該底溝部に嵌合した下端を支点にして受圧板６が底溝部より幅広の縦溝部内で前後に傾動可能な構成にしてもよいものであり、要は受圧板６の下端が底溝部５Ａ内で前後方向に位置ずれしない構成であればよい。
【００２８】
また、桝本体に底溝部と縦溝部からなる略凵状の溝を有する既存の水位調整桝も、受圧板６と水位調整板７を挿嵌することで本発明の水田用水位調整桝に用いることができるし、本発明の水田の水位調整方法とすることができる。
【００２９】
本発明は桝本体１、支持溝５、受圧板６、水位調整板７の比較的簡単な構成からなるが、複数枚の水田の深水管理を短時間に行わなければならない作業量、各水田の水位調整作業の手数を考慮すると、本発明は作業容易性、保守管理の容易性、安価な製作コスト等、幾多の面で極めて優れた作用効果を奏する水位調整枡である。かつ、水田という水、土、泥土が混在した特殊な環境における実証実験により、例えば泥土のパッキンとしての機能等その作用効果を確認することによって発明することができた水田用水位調整枡であり、水田の水位調整方法である。
【符号の説明】
【００３０】
１      桝本体
２      底板
３      側壁板
４      後壁板
４Ａ    通水穴
５      支持溝
５Ａ    底溝部
５Ｂ    側溝部
６      受圧板
６Ｃ    突起部
６Ｄ    上端
７      水位調整板
７Ｃ    下端
７Ｄ    上端
【図１】
2012000016.tif 000003
【図２】
2012000016.tif 000004
【図３】
2012000016.tif 000005
【図４】
2012000016.tif 000006
【図５】
2012000016.tif 000007
【図６】
2012000016.tif 000008
【図７】
2012000016.tif 000009
【図８】
2012000016.tif 000010